(57)【要約】【課題】情報の書き込みが完了していない時点で抜き出したカードを再挿入して不正に球貸しを受けるといった不正行為が構造上不可能なカード処理装置を提供する。【解決手段】カード収納部２８は、カード搬送路２６の搬送路面よりローラ面が突出した第２ローラ３２と、カード搬送路２６を挟んで第２ローラ３２の反対側に設けられ、ストックカードＣＳを搬送路面に向かって押圧するカード押圧板３６と、ストックカードＣＳが無い状態で、カード押圧板３６が第２ローラ３２の突出したローラ面に乗り上げてカード押圧板３６の搬送路搬入方向の上流側端部が搬送路面より浮き上がることを防止するための浮き上がり防止機構としての開口部３６ａを有する。【選択図】図１１
2019159800.tif 000002
【特許請求の範囲】
【請求項１】
リードライト位置にあるカードに対して情報のリードライトを行うリードライタ部と、カードをその厚さの方向に重ねた状態で収納する収納部とが、搬送ローラを備えたカードの搬送路に沿って配置され、前記リードライト位置にあるカードの搬送路搬入方向の先端部分と、前記収納部に収納されているカードの搬送路搬入方向の後端部分とが所定の長さ分だけ重なるように設けられたカード処理装置であって、
前記収納部は、
前記搬送ローラの１つである、前記搬送路の搬送路面よりローラ面が突出した搬送ローラと、
前記搬送路を挟んで前記搬送ローラの反対側に設けられ、収納されているカードを前記搬送路面に向かって押圧する押圧板と、
収納しているカードが無い状態で、前記押圧板が前記搬送ローラの突出したローラ面に乗り上げて前記押圧板の搬送路搬入方向の上流側端部が前記搬送路面より浮き上がることを防止するための浮き上がり防止機構と、を備えることを特徴とするカード処理装置。
【請求項２】
前記浮き上がり防止機構が、前記押圧板に形成された、前記搬送ローラの突出したローラ面を貫通させる開口であることを特徴とする請求項１に記載のカード処理装置。
【請求項３】
前記搬送路の入口に設けられたシャッタと、
前記入口に設けられたカードを検出する第１センサと、
前記第１センサよりも搬送路搬入方向の下流側で、かつ前記収納部よりも搬送路搬入方向の上流側に設けられたカードを検出する第２センサと、
前記シャッタを閉じる制御を行いつつ、前記第１センサおよび前記第２センサが共にカードを検出すると、不正なカード挿入が成されたと判断して、挿入されているカードを返却することなく保持する制御部と、を備えたことを特徴とする請求項１又は２に記載のカード処理装置。
【請求項４】
前記搬送路の入口に設けられたシャッタと、
前記入口に設けられたカードを検出する第１センサと、
前記第１センサよりも搬送路搬入方向の下流側で、かつ前記収納部よりも搬送路搬入方向の上流側に設けられたカードを検出する第２センサと、
前記シャッタを閉じる制御を行いつつ、前記第１センサおよび前記第２センサが共にカードを検出すると、不正なカード挿入が成されたと判断して、挿入されているカードを返却することなく前記収納部に回収する制御部を、を備えたことを特徴とする請求項１又は２に記載のカード処理装置。
【請求項５】
遊技機に隣接して配置され、前記遊技機で使用する遊技媒体を払い出す台間機において、
前記請求項１〜４の何れか１項に記載のカード処理装置を備えたことを特徴とする台間機。
【発明の詳細な説明】
【技術分野】
【０００１】
本発明は、台間機などに用いられるカード収納部を備えたカード処理装置に関する。
【背景技術】
【０００２】
パチンコ店などの遊技施設では、遊技機に隣接して配置された台間機において、遊技機で遊技をするために遊技球の貸出が行われるようになっている。近年においては現金の代わりにＩＣカードなどの記録媒体を用いて遊技球の貸出を行うことのできる台間機が普及している。
【０００３】
このような台間機には、紙幣識別機などの金銭処理装置と共に、リードライタ部およびカード収納部を備えたカード処理装置が内蔵されている。台間機は、例えば投入金額に応じた金額が記憶されたカードを発行し、カードが挿入されると、そこに記録されている金銭情報（残価値情報）などを読み込んで遊技球の貸出処理を行うように構成されている。
【０００４】
例えば、特許文献１には、リードライタ部のリードライト位置にあるカードの搬送路搬入方向の先端部分と、カード収納部に収納されているストックカードの搬送路搬入方向の後端部分とを所定の長さ分だけ重ね合わせた構成のカード処理装置が開示されている。これによれば、カード搬送路の搬送路長が短くて済むので、カード処理装置の前後方向の長さ寸法を小さくすることができる。また、搬送路長が短くなるので、搬送不良の起こり易い搬送ベルトに代えて搬送不良の起こり難い搬送ローラを用いることができる。
【先行技術文献】
【特許文献】
【０００５】
【特許文献１】特許第５６８７９１３号明細書
【発明の概要】
【発明が解決しようとする課題】
【０００６】
ところで、特許文献１の構成に限らず、このようなカード処理装置においては、カード挿入口にシャッタが設けられており、カードが挿入されている状態ではシャッタを閉じてカードに対する情報の読み出しおよび書き込みを行うようになっている。カード処理装置は、挿入されたカードに残価値がある場合に球貸しを行い、球貸しで消費した価値を残価値より減じる。そして、残価値がある状態でカードの返却が指示されると、シャッタを開けて遊技者にカードを返却し、カードの残価値がゼロになると、カード収納部に回収するか、あるいはシャッタを開けて遊技者にカードを返却する。
【０００７】
しかしながら、カード挿入口に設けられたシャッタは、工具等を用いることで比較的に簡単に開けることができる。そのため、詳細については、後述するが、入口のシャッタを強引に開けて、球貸しで消費した分の価値を減じた情報がカードに書き込まれる前にカードを抜き出すといった不正行為が行われることがある。このような不正行為は繰り返し行われることがあり、遊技店にとっては大きな損失となる。
【０００８】
本発明は、情報の書き込みが完了していない時点で抜き出したカードを再挿入して不正に球貸しを受けるといった不正行為が構造上不可能なカード処理装置を提供することを目的としている。
【課題を解決するための手段】
【０００９】
本発明は、上記課題を解決するために、以下の構成を採用している。
【００１０】
すなわち、本発明の一側面に係るカード処理装置は、リードライト位置にあるカードに対して情報のリードライトを行うリードライタ部と、カードをその厚さの方向に重ねた状態で収納する収納部とが、搬送ローラを備えたカードの搬送路に沿って配置され、前記リードライト位置にあるカードの搬送路搬入方向の先端部分と、前記収納部に収納されているカードの搬送路搬入方向の後端部分とが所定の長さ分だけ重なるように設けられたカード処理装置であって、前記収納部は、前記搬送ローラの１つである、前記搬送路の搬送路面よりローラ面が突出した搬送ローラと、前記搬送路を挟んで前記搬送ローラの反対側に設けられ、収納されているカードを前記搬送路面に向かって押圧する押圧板と、収納しているカードが無い状態で、前記押圧板が前記搬送ローラの突出したローラ面に乗り上げて前記押圧板の搬送路搬入方向の上流側端部が前記搬送路面より浮き上がることを防止するための浮き上がり防止機構と、を備えることを特徴とする。
【００１１】
上記構成によれば、浮き上がり防止機構にて、収納しているカードが無い状態で、押圧板が搬送ローラの突出したローラ面に乗り上げて押圧板の搬送路搬入方向の上流側端部が搬送路面より浮き上がることが防止される。
【００１２】
したがって、不正に挿入されたカードは、押圧板に突き当たり、リードライト位置に到達することはない。これにより。カードを再挿入することによる不正行為を構造的に確実に阻止することができる。
【００１３】
本発明の一側面に係るカード処理装置においては、さらに、前記浮き上がり防止機構が、前記押圧板に形成された、前記搬送ローラの突出したローラ面を貫通させる開口である構成とすることもできる。
【００１４】
上記構成によれば、搬送ローラの突出したローラ面を貫通させる開口を押圧板に形成することで、押圧板が搬送ローラの突出したローラ面に乗り上げて押圧板の搬送路搬入方向の上流側端部が搬送路面より浮き上がることを防止する。このような構成とすることで、例えば、搬送ローラを搬送路面より出没自在に構成して、収納部にカードが無い状態では、搬送ローラを搬送路面に没入させて浮き上がり防止するような構成に比べて、簡単な構成とできる。
【００１５】
本発明の一側面に係るカード処理装置においては、さらに、前記搬送路の入口に設けられたシャッタと、前記入口に設けられたカードを検出する第１センサと、前記第１センサよりも搬送路搬入方向の下流側で、かつ前記収納部よりも搬送路搬入方向の上流側に設けられたカードを検出する第２センサと、前記シャッタを閉じる制御を行いつつ、前記第１センサおよび前記第２センサが共にカードを検出すると、不正なカード挿入が成されたと判断して、挿入されているカードを返却することなく前記搬送路に保持する制御部と、を備えた構成とすることもできる。
【００１６】
上記構成によれば、制御部により、再挿入されたカードは搬送路に保持され、不正行為を行った遊技者に返却されない。これにより、カードを再挿入することによる不正行為が何回も繰り返し行われることを阻止することができる。
【００１７】
本発明の一側面に係るカード処理装置においては、さらに、前記搬送路の入口に設けられたシャッタと、前記入口に設けられたカードを検出する第１センサと、前記第１センサよりも搬送路搬入方向の下流側で、かつ前記収納部よりも搬送路搬入方向の上流側に設けられたカードを検出する第２センサと、前記シャッタを閉じる制御を行いつつ、前記第１センサおよび前記第２センサが共にカードを検出すると、不正なカード挿入が成されたと判断して、挿入されているカードを返却することなく前記収納部に回収する制御部を、を備えた構成とすることもできる。
【００１８】
上記構成によれば、制御部により、再挿入されたカードは収納部に回収され、不正行為を行った遊技者に返却されない。これにより、カードを再挿入することによる不正行為が何回も繰り返し行われることを阻止することができる。
【００１９】
本発明は、このようなカード処理装置を備えた、遊技機に隣接して配置され、前記遊技機で使用する遊技媒体を払い出す台間機も発明の範疇とする。
【発明の効果】
【００２０】
本発明によれば、情報の書き込みが完了していない時点で抜き出したカードを再挿入して不正に球貸しを受けるといった不正行為が構造上不可能なカード処理装置を提供することができる。
【図面の簡単な説明】
【００２１】
【図１】本実施の形態に係るカード処理装置の適用例を例示するもので、カード処理装置が組み込まれた台間機が設置された遊技島の構成を示す斜視図である。
【図２】本実施の形態に係るカード処理装置が組み込まれた台間機の要部を示す斜視図である。
【図３】図２に示す台間機に組み込まれているカード処理装置の全体構成を示す斜視図である。
【図４】図３に示すカード処理装置における、リードライタユニットとカバーとを外した装置本体ユニットを示す斜視図である。
【図５】図３に示すカード処理装置における、リードライタユニットとカバーとを示す斜視図である。
【図６】図３の一点鎖線にて示す平面で切った断面図であり、カード収納部にカードＣが収納されている状態を示す。
【図７】図３に示すカード処理装置におけるカード収納部のカード押圧板の動作を示す説明図であり、（ａ）はストックカードが無く、カード持ち上げ機構がＯＦＦの状態、（ｂ）はストックカードが無く、カード持ち上げ機構がＯＮの状態、（ｃ）はストックカードが有り、カード持ち上げ機構がＯＦＦの状態、（ｄ）はストックカードが有り、カード持ち上げ機構がＯＮの状態を示す。
【図８】図３に示すカード処理装置における、カード搬送時の各部の動作を示す説明図であり、（ａ）はカードＣが挿入される前の待機時、（ｂ）はカード挿入口２５にカードＣの先端が挿入された状態、（ｃ）はカードＣの搬送中の状態、（ｄ）はカードＣがリードライト位置に到達した状態を示す。
【図９】従来構成のカード処理装置における不正行為が行われた際の各部の状態を示す説明図であり、（ａ）はカードがリードライト位置にある状態、（ｂ）は引き抜かれたカードが再挿入される直前の状態、（ｃ）はカードが再挿入された状態およびその要部拡大図を示す。
【図１０】従来構成のカード処理装置における不正行為が行われた際の各部の状態を示す説明図であり、（ａ）はカードがリードライト位置にある状態、（ｂ）は引き抜かれたカードが再挿入される直前の状態およびその要部拡大図、（ｃ）はカードが再挿入された状態を示す。
【図１１】図３に示すカード処理装置における、引き抜かれたカードを再挿入する不正行為が行われた際の各部の状態を示す説明図であり、（ａ）は引き抜かれたカードＣが再挿入される直前の状態およびその要部拡大図、（ｂ）はカードＣが再挿入された状態およびその要部拡大図を示す。
【図１２】図３に示すカード処理装置を備えた台間機および該台間機に対応した遊技機の要部の構成を示すブロック図である。
【図１３】図３に示すカード処理装置の動作を示すフローチャートである。
【図１４】図３に示すカード処理装置の動作を示す別フローチャートである。
【発明を実施するための形態】
【００２２】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００２３】
§１  適用例
まず、本発明が適用される場面の一例について説明する。図１は、本実施の形態に係るカード処理装置２０の適用例を例示するもので、カード処理装置２０が組み込まれた台間機３が設置された遊技島１の構成を示す斜視図である。図２は、カード処理装置２０が組み込まれた台間機３の要部を示す斜視図である。
【００２４】
図１に示すように、遊技島１においては、膳板５の上に複数の遊技機２が並んで配置されている。遊技機２は、前面がガラス扉で覆われた遊技盤７を有し、遊技盤７の前面に遊技領域が形成されている。遊技盤７の下方には打つための遊技球を供給する上皿８が設けられ、上皿８の下方に、上皿８から溢れた遊技球を貯留する下皿９と、遊技球を打つ操作ハンドル１０とが設けられている。
【００２５】
各遊技機２の左側には遊技球の貸し出しを行う台間機３が設置されている。本実施の形態に係るカード処理装置２０は、この台間機３に組み込まれている。台間機３の内部には、図示してはいないが、カード処理装置２０の他、制御ユニット、電源ユニット、金銭処理ユニットおよび計数ユニット等が組み込まれている。
【００２６】
図２に示すように、台間機３の前面であって、カード処理装置２０の前面における後述するカード挿入口２５（図３参照）に対応する部分には、カード挿入排出用のカードスロット１１が形成されている。このカードスロット１１を介して台間機３に対するカードＣの挿入および排出が行われる。カードＣは、例えば、ＲＦＩＣチップが搭載されている非接触型ＩＣカードである。
【００２７】
なお、ここでは、適用例として台間機３に組み込まれたカード処理装置を例示するが、本発明は台間機３以外の機器に用いるカード処理装置に対しても同様に適用可能であることはもちろんである。
【００２８】
§２  構成例
以下、本発明の一側面における実施形態を、図面に基づいて例示する。
【００２９】
（カード処理装置）
図３は、図２に示す台間機３に組み込まれているカード処理装置２０の全体構成を示す斜視図である。図４は、図３に示すカード処理装置２０における、リードライタユニット２２とカバーユニット２３とを外した装置本体ユニット２１を示す斜視図である。図５は、図３に示すカード処理装置２０における、リードライタユニット２２とカバーユニット２３とを示す斜視図である。図６は、図３の一点鎖線にて示す平面で切った断面図であり、カード収納部２８にカードＣが収納されている状態を示す。
【００３０】
図３に示すように、カード処理装置２０は、全体として前後方向に長い偏平な直方体形状をしており、装置本体ユニット２１と、リードライタユニット２２と、カバーユニット２３とを備えている。カード処理装置２０の前面における装置本体ユニット２１とリードライタユニット２２との境界部分に、カードＣが挿入および排出されるカード挿入口（入口）２５が形成されている。
【００３１】
図４に示すように、装置本体ユニット２１は、装置前後方向に長い偏平な直方体形状をしたユニットであり、長手方向に延びる一定幅で一定深さの凹部２４を有している。この凹部２４の前部に、リードライタユニット２２が嵌め込まれ、凹部２４の後部を含めてその他の部分に、カバーユニット２３が嵌め合わされる。凹部２４の前端部が、カード挿入口２５となる。なお、装置本体ユニット２１における凹部２４以外の部分には、モータや後述する制御部４０（図１２参照）等が配設されている。
【００３２】
カード搬送路（搬送路）２６は、リードライタユニット２２およびカバーユニット２３と凹部２４の底壁（搬送路面）２４ａとの間に形成される。カード搬送路２６における装置前後方向の後部が、複数のストックカードＣＳを収納することができるカード収納部（収納部）２８となる（図６参照）。以下、カード挿入口２５からカード収納部２８に向かう方向を搬送路搬入方向と称し、その反対方向を搬送路搬出方向と称する。
【００３３】
凹部２４の底壁２４ａの裏側には、可逆回転可能な第１ローラ（搬送ローラ）３１および第２ローラ（搬送ローラ）３２が設けられている。第２ローラ３２は第１ローラ３１よりも搬送路搬入方向の下流に配置され、カード収納部２８に位置している。第１ローラ３１および第２ローラ３２は、凹部２４の底壁２４ａに形成された開口２４ｂを介してローラ面が凹部２４内部に突き出るように配設されている（図６参照）。
【００３４】
凹部２４の底壁２４ａの裏側であって、第２ローラ３２の搬送路搬入方向の下流側にはカード持ち上げ機構３４が設けられている。カード持ち上げ機構３４は、凹部２４の底壁２４ａに形成された開口２４ｃを介して凹部２４内部に出没可能に設けられている。カード持ち上げ機構３４は、凹部２４内部に突出することで、カード収納部２８に収納されているカードを、カバーユニット２３に設けられた後述するカード押圧板３６の押圧力に抗して持ち上げるようになっている（図６参照）。
【００３５】
凹部２４の前端部のカード挿入口２５には、カード挿入口２５を塞ぐ入口シャッタ（シャッタ）２７および入口センサ（第１センサ）２９が設けられている。入口センサ２９は、入口シャッタ２７よりも搬送路搬入方向の下流に位置する。入口センサ２９は、例えばフォトセンサであり、カード搬送路２６内におけるカード挿入口２５近傍におけるカードＣの有無を、受光状態に基づいて検出する。ここでは、フォトセンサとして発光素子と受光素子とが別々に配置される透過型を例示している。
【００３６】
また、カード搬送路２６のカード収納部２８との境界近傍には、位置センサ（第２センサ）３０が設けられている。位置センサ３０も入口センサ２９と同様にフォトセンサ等からなり、カード搬送路２６内におけるカード収納部２８手前の位置におけるカードＣの有無を、受光状態に基づいて検出する。位置センサ３０は、入口センサ２９よりも搬送路搬入方向の下流側で、かつ、カード収納部２８よりも搬送路搬入方向の上流側に設けられている。なお、ここでは、入口センサ２９と位置センサ３０の２つとしたが、入口センサ２９と位置センサ３０との間にセンサを配置し、３つ以上のセンサを用いてもっと細かくカードＣ位置を検出してもよい。
【００３７】
図５、図６に示すように、リードライタユニット２２は、装置本体ユニット２１の凹部２４に嵌め込まれた状態で、第１ローラ３１と対向する位置に対向ローラ３３を備えている。カードＣは、第１ローラ３１と対向ローラ３３との間に形成されるニップに挟持されて搬送される。対向ローラ３３の搬送路搬入方向の下流側には、カードＣに対して非接触状態で情報のリードライト（読み出しおよび書き込み）を行うリードライタ部３５が設けられている。また、前述した入口センサ２９および位置センサ３０と対向する位置に、透過型のフォトセンサの他方の素子２９ａ，３０ａが配置されている。なお、ここでは、透過型のフォトセンサを例示しているが、反射型であっても良く、その他のセンサであってもよい。
【００３８】
カバーユニット２３には、装置本体ユニット２１に嵌め合わされた状態で、カード収納部２８に収納されているカードＣを凹部２４の底壁２４ａ側（カード搬送路２６の搬送路面側）へと押圧するカード押圧板３６が設けられている。カード押圧板３６は、押圧バネ３７によって凹部２４の底壁２４ａに向かって常時付勢されている。なお、押圧バネ３７として板バネを例示しているが、他のバネであっても良い。
【００３９】
ここで、カード押圧板３６の動作について図７を用いて説明する。図７は、カード処理装置２０におけるカード収納部２８のカード押圧板３６の動作を示す説明図であり、（ａ）はストックカードＣＳが無く、カード持ち上げ機構３４がＯＦＦの状態、（ｂ）はストックカードＣＳが無く、カード持ち上げ機構３４がＯＮの状態、（ｃ）はストックカードＣＳが有り、カード持ち上げ機構３４がＯＦＦの状態、（ｄ）はストックカードＣＳが有り、カード持ち上げ機構３４がＯＮの状態を示す。
【００４０】
図７の（ａ）（ｃ）に示すように、カード押圧板３６は、ストックカードＣＳの有無に関わらず、常にカード搬送路２６側（凹部２４の底壁２４ａ側）に押圧バネ３７で押されている。カード持ち上げ機構３４がＯＮ状態になると、図７の（ｂ）（ｄ）に示すように、押圧バネ３７の力がカード持ち上げ機構３４に負けて、カード押圧板３６は、搬送路搬入方向の下流側端部を基端として搬送路搬入方向の上流側の先端側が搬送路面より離れる方向に持ち上げられる。ストックカードＣＳが有る場合は、図７の（ｄ）に示すように、ストックカードＣＳごとカード押圧板３６が持ち上がる。
【００４１】
このように、カード押圧板３６が、ストックカードＣＳをカード搬送路２６の搬送路面に押し付けることで、第２ローラ３２と最下層のストックカードＣＳとの摩擦抵抗が増大し、最下層のストックカードＣＳが滑ることなく搬送される。なお、図７では、第２ローラ３２とストックカードＣＳとの接触しか示していないが、第２ローラ３２には、カード挿入口２５から挿入されたカードＣも接触する。カード挿入口２５から挿入されたカードＣもストックカードＣＳと同様に、カード押圧板３６にてカード搬送路２６の搬送路面に押し付けられることで滑ることなく搬送される。
【００４２】
そして、本実施の形態に係るカード処理装置２０においては、カード押圧板３６における第２ローラ３２と対向する位置に、第２ローラ３２のローラ面をカード押圧板３６がストックカードＣＳや挿入されたカードＣと接触する側とは反対の裏側に逃すための開口部３６ａが形成されている。詳細については後述するが、このような開口部３６ａが形成されることで、図７の（ａ）に示すように、ストックカードＣＳが無い状態で、カード押圧板３６の先端側が搬送路面より浮き上がることを防止することができる。つまり、開口部３６ａが、ストックカードＣＳが無い状態で、カード押圧板３６が第２ローラ３２の突出したローラ面に乗り上げてカード押圧板３６の搬送路搬入方向の上流側端部が搬送路面より浮き上がることを防止するための浮き上がり防止機構に相当する。
【００４３】
（カードの搬送動作）
次に、カード処理装置２０におけるカード搬送時のカードの位置と各部の動作について図８を用いて説明する。図８は、カード処理装置２０におけるカード搬送時の各部の動作を示す説明図であり、（ａ）はカードＣが挿入される前の待機時、（ｂ）はカード挿入口２５にカードＣの先端が挿入された状態、（ｃ）はカードＣの搬送中の状態、（ｄ）はカードＣがリードライト位置に到達した状態を示す。
【００４４】
図８の（ａ）に示すように、待機時、入口シャッタ２７は開いており、カード持ち上げ機構３４はＯＦＦしている。図８の（ｂ）に示すように、カード挿入口２５よりカードが挿入されると、入口センサ２９がＯＮする。入口センサ２９がＯＮすると、第１ローラ３１および第２ローラ３２が正回転を開始し、カード持ち上げ機構３４もＯＮする。第１ローラ３１および第２ローラ３２が正回転を開始することでカードＣの搬送が開始される。また、カード持ち上げ機構３４がＯＮすることで、ストックカードＣＳの搬送路搬入方向の後端部側が持ち上げられ、カードＣの搬送路搬入方向の先端部分を入り込ませる隙間が作られる。
【００４５】
図８の（ｃ）に示すように、搬送中のカードＣの搬送路搬入方向の先端部分が位置センサ３０を通過すると、位置センサ３０がＯＮする。搬送中のカードＣの搬送路搬入方向の先端部分は、ストックカードＣＳの搬送路搬入方向の後端部側に形成された隙間に入り込み、さらに搬送される。
【００４６】
図８の（ｄ）に示すように、カードＣの搬送路搬入方向の後端部が入口センサ２９を通過すると入口センサ２９がＯＦＦする。位置センサ３０がＯＮしている状態で入口センサ２９がＯＦＦすると、第１ローラ３１および第２ローラ３２の回転が停止し、入口シャッタ２７が閉じられ、カード持ち上げ機構３４もＯＦＦする。
【００４７】
図８の（ｄ）に示す状態が、カードＣがリードライト位置にある状態であり、リードライタ部３５がカードＣに対して、情報の読み出しおよび情報の書き込み（リードライト）を行う。
【００４８】
カードＣの返却時は、図８の（ｄ）に示す状態から、挿入時とは逆に、入口シャッタ２７が開き、第１ローラ３１および第２ローラ３２が逆回転する。第１ローラ３１および第２ローラ３２は、位置センサ３０および入口センサ２９が共にＯＦＦするまで逆回転し、位置センサ３０および入口センサ２９共にＯＦＦすると回転が停止する。
【００４９】
また、挿入されたカードＣをカード収納部２８に取り込む（回収）する場合は、図８の（ｄ）に示す状態から、さらに、第１ローラ３１および第２ローラ３２が正回転する。第１ローラ３１および第２ローラ３２は、位置センサ３０がＯＦＦし、カードＣの搬送路搬入方向の先端部がカード収納部２８における搬送路搬入方向の最下流側の壁に突き当たるまで正回転し、その後停止する。
【００５０】
なお、このようなカード処理装置２０の各部の動作は、後述する制御部４０（図１２参照）にて制御される。
【００５１】
上記構成においては、カード持ち上げ機構３４にてカード収納部２８に収納されているストックカードＣＳを持ち上げて、カード挿入口２５より挿入されたカードＣの搬送路搬入方向の先端部分を、ストックカードＣＳの下方に入り込ませるようになっている。これにより、ストックカードの搬送路搬入方向における後端部分とリードライトする対象のカードＣの搬送路搬入方向における先端部分を所定の長さ分だけ重ねて、カード搬送路２６における搬送路長を短くして、カード処理装置２０の前後方向の長さ寸法を小さくしている。また、搬送路長が短くなるので、搬送不良の起こり易い搬送ベルトに代えて、搬送不良の起こり難い搬送ローラを用いることができるというメリットもある。
【００５２】
（カード処理装置に対する不正行為）
次に、挿入されているカードＣを強引に取り出し、取り出したカードＣを再挿入する不正行為について図９、図１０を用いて説明する。図９、図１０は何れも、不正行為が行われた際の従来構成のカード処理装置１２０の各部の状態を示す説明図であり、（ａ）はカードＣがリードライト位置にある状態、（ｂ）は不正行為にて引き抜かれたカードＣが再挿入される直前の状態、（ｃ）はカードＣが再挿入された状態を示す。図９の（ｃ）および図１０の（ｂ）においては、要部拡大図も併せて示す。図９および図１０の違いは、スットクカードＣＳの有無にあり、図９はストックカードＣＳが有る場合、図１０はストックカードＣＳが無い場合である。
【００５３】
図９の（ａ）、図１０の（ａ）に示すように、カードＣがリードライト位置にある状態では、第１ローラ３１および第２ローラ３２は停止、入口シャッタ２７は閉、カード持ち上げ機構３４はＯＦＦしている。このような状態で、遊技球を借りる球貸しを要求することで、台間機３から遊技機２へと遊技球が払い出される。不正行為の一つとして、球貸しを要求した後、球貸しにて消費した価値を減じた情報がカードＣに書き込まれる前に、入口シャッタ２７を強引に開けてカードＣを取り出す行為がある。このような不正行為が行われると、球貸しで価値が減少したにも関わらず価値が保持されることとなり、遊技店側は損害を受ける。
【００５４】
カード処理装置１２０は、このような不正行為が行われるとエラー発報を行い、遊技店側に不正行為が行われたことを通知する。しかしながら、遊技店の従業員がエラー発報に気が付いて対応に来るまでの間に、抜き取ったカードＣを再挿入して再び不正に球貸しを受ける不正法行が存在する。従来構成のカード処理装置１２０の場合、ストックカードＣＳの状態によっては、このような再挿入する不正行為が可能となる。
【００５５】
つまり、図９の（ｂ）、図１０の（ｂ）に示すように、カードＣを引き抜いた状態では、第１ローラ３１および第２ローラ３２は停止、入口シャッタ２７は閉、カード持ち上げ機構３４はＯＦＦしている。このような状態で、入口シャッタ２７を再び強引に開けてカードＣを再挿入しても、第１ローラ３１および第２ローラ３２は停止した状態を保持し、カード持ち上げ機構３４もＯＦＦのままである。
【００５６】
そのため、強引にカードＣをリードライト位置にまで押し込むこととなるが、カード収納部２８にストックカードＣＳが有る場合は、図９の（ｂ）に示すように、挿入カードの進行方向を塞ぐようにストックカードＣＳが位置している。そのため、図９の（ｃ）に示すように、カードＣの搬送路搬入方向の先端部分がストックカードＣＳに突き当たり、カードＣはリードライト位置には到達せず、再挿入による不正行為は阻止される。
【００５７】
しかしながら、図１０の（ｂ）に示すように、カード収納部２８にストックカードＣＳが無い場合は、カード押圧板１３６の先端側（搬送路搬入方向の上流側）が搬送路面より浮き上がって先端（搬送路搬入方向の上流側端部）に隙間Ｐが形成されている。そのため、カードＣの搬送路搬入方向の先端部分がこの隙間Ｐからカード押圧板１３６の下に入り込み、カードＣはリードライト位置に到達してしまい、再挿入による不正行為が可能となる。
【００５８】
このような隙間Ｐは、カード押圧板１３６における先端側（搬送路搬入方向の上流側）が第２ローラ３２の頂点に乗り上げることで形成される。すなわち、ストックカードＣＳは、図９の（ｂ）（ｃ）に示すように、凹部２４の底壁２４ａにおけるストック位置の搬送路搬入方向の上流側および下流側に形成されたリブ３８に乗った状態でストックされている。このようなリブ３８は、ストックカードＣＳの搬送を容易にするために設けられている。
【００５９】
カード押圧板１３６は、リブ３８に乗った状態のストックカードＣＳの第２ローラ３２が位置する先端側を適切な圧力で押圧するように構成されている。そして、図１０の（ｂ）に示すように、カード押圧板１３６における搬送路搬入方向の下流側は、ストックカードＣＳの搬送路搬入方向の下流側を強く押圧することのないように切り欠かれている。
【００６０】
そのため、カード押圧板１３６は、ストックカードＣＳが無い状態では、基端（搬送路搬入方向の下流側端部）が搬送路面に接触し、先端側（搬送路搬入方向の上流側）が、第２ローラ３２の頂点に乗り上げることで浮き上がり、先端部に隙間Ｐが形成される。
【００６１】
そして、このようなカードＣを再挿入することによる不正行為は、再挿入が可能であるかぎり何回も繰り返し行われる恐れがあり、遊技店が受ける損害が大きくなる。
【００６２】
（カードの再挿入阻止）
次に、本実施の形態に係るカード処理装置２０におけるカードの再挿入を阻止する構成について説明する。図１１は、カード処理装置２０における、引き抜かれたカードを再挿入する不正行為が行われた際の各部の状態を示す説明図であり、（ａ）は引き抜かれたカードＣが再挿入される直前の状態、（ｂ）はカードＣが再挿入された状態を示す。
【００６３】
図１１の（ａ）に示すように、ストックカードＣＳが無い状態でも、カード押圧板３６に形成された開口部３６ａを介して第２ローラ３２のローラ面がカード押圧板３６の裏側に逃げることで、カード押圧板３６の下面が第２ローラ３２の頂点よりも下に位置する。つまり、カード押圧板３６の先端側にカードＣの搬送路搬入方向の先端部分が入り込む隙間Ｐ（図１０（ｂ）参照）は形成されない。
【００６４】
したがって、図１１の（ｂ）に示すように、カードＣを強引に挿入しようとしても、挿入されたカードＣの搬送路搬入方向の先端部分がカード押圧板３６に突き当たり、リードライト位置には到達しない。これにより、たとえストックカードＣＳが無い状態でも、カードＣを再挿入することによる不正行為を構造的に確実に阻止することができる。
【００６５】
（カード処理装置の制御）
図１２は、カード処理装置２０を備えた台間機３および該台間機３に対応した遊技機２の要部の構成を示すブロック図である。図１２示すように、カード処理装置２０は、制御部４０を備えている。制御部４０は、周知のＣＰＵ、ＲＯＭ、ＲＡＭ等を有し、予めＲＯＭに格納されているプログラムに従って各種の演算処理を実行して、カード処理装置２０の各部を制御する。
【００６６】
制御部４０には、入口センサ２９および位置センサ３０を含むセンサ部４１から検出信号（ＯＮ/ＯＦＦ信号）が入力される。制御部４０は、センサ部４１から入力される検出信号に基づいて、入口シャッタ２７、第１ローラ３１および第２ローラ３２を含む搬送機構４２、カード持ち上げ機構３４を制御する。また、制御部４０は、リードライタ部３５を制御して、挿入されたカードＣに対し、情報の読み出しおよび書き込みを行う。制御部４０には、遊技機２に設置された球貸しボタン４５からの信号が入力され、制御部４０は、球貸しボタン４５が操作されて球貸しを行った場合に、球貸しによって消費した価値を減じた情報をカードＣに書き込む。
【００６７】
台間機３には、ＬＥＤを発光させるなどしてエラーを発報するエラー発報部４７が設けられている。制御部４０は、エラーを検出するとエラー発報部４７よりエラーを報知する。
【００６８】
制御部４０は、入口シャッタ２７を閉じる制御を行いつつ、位置センサ３０がＯＦＦであることを検出すると、リードライト位置にあるカードＣを抜き出す不正行為が行われたと判断する。
【００６９】
また、制御部４０は、入口シャッタ２７を閉じる制御を行いつつ、入口センサ２９および位置センサ３０が共にＯＮであることを検出すると、カードを再挿入する不正行為が行われたと判断する。そして、この場合に、制御部４０は、第１ローラ３１および第２ローラ３２を含む搬送機構４２を制御して、挿入されているカードＣを返却することなくカード搬送路２６に保持する、あるいはカード収納部２８に回収する。
【００７０】
図１３は、カード処理装置２０の動作を示すフローチャートである。図１３に示すように、カード処理装置２０は、入口シャッタ２７を開いた状態で待機している（Ｓ１，図８の（ａ）の状態）。制御部４０は、Ｓ２にて入口センサ２９がＯＮか否かを判断しており、入口センサ２９がＯＮするまでＳ１の待機状態を維持する。
【００７１】
カード挿入口２５よりカードＣが挿入されて入口センサ２９がＯＮになると、制御部４０は、第１ローラ３１および第２ローラ３２を正回転させてカードＣを搬送し、また、カード持ち上げ機構３４をＯＮする（Ｓ３，図８の（ｂ）の状態）。制御部４０は、Ｓ４にて、入口センサ２９がＯＦＦ、位置センサがＯＮとなるまで、第１ローラ３１および第２ローラ３２の正回転とカード持ち上げ機構３４のＯＮとを維持する（図８の（ｃ）の状態）。
【００７２】
カードＣが搬送されて、入口センサ２９がＯＦＦし、位置センサのみがＯＮになると、制御部４０は、第１ローラ３１および第２ローラ３２の回転を停止させてカードＣの搬送を停止し、また、カード持ち上げ機構３４もＯＦＦする（Ｓ５，図８の（ｄ）の状態）。この状態で、カードＣはリードライト位置に到達する。
【００７３】
次に、制御部４０は、リードライタ部３５を制御してカードＣの情報を読み出し（Ｓ６）、読み出した情報より残価値が正常か否かを判断する（Ｓ７）。ここで、他の遊技店のカードであるなど正規なカードない場合には異常と判断してＳ８に進み、カードＣを返却し、その後Ｓ１に処理を戻す。
【００７４】
Ｓ７において残価値が正常である場合は、制御部４０は、遊技機２の球貸しボタン４５が押下されたか否か（Ｓ９）、カードＣの返却が指示されたか否か（Ｓ１６）を順に繰り返し判断する。
【００７５】
ここで、カード返却が指示されて、Ｓ１６においてＹＥＳと判断すると、制御部４０は、第１ローラ３１および第２ローラ３２を逆回転させてカードＣを排出方向に搬送する（Ｓ１７）。制御部４０は、Ｓ１８にて入口センサ２９がＯＦＦとなるまで第１ローラ３１および第２ローラ３２の逆回転を維持する。カードＣが排出されて入口センサ２９がＯＦＦすると、制御部４０は、第１ローラ３１および第２ローラ３２の回転を停止して（Ｓ１５）、その後、Ｓ１に処理を戻す。
【００７６】
一方、球貸しボタン４５が押下されて、Ｓ９においてＹＥＳと判断すると、制御部４０は、カードＣに対して球貸しで消費した価値を減算した残価値の情報をカードＣに書き込むと共に、遊技機２へ遊技球払い出す（Ｓ１０）。
【００７７】
続いて、制御部４０は、位置センサ３０がＯＮか否かを判断する（Ｓ１１）。カードＣを抜き出す不正行為が行われていない状態では、カードＣはリードライト位置にあるため位置センサ３０はＯＮであるが、不正行為が行われると位置センサ３０はＯＦＦとなる。したがって、制御部４０は、入口シャッタ２７を閉制御しつつ、位置センサ３０がＯＮである場合は、Ｓ１２に進んで残価値の有無を判断し、残価値が有りと判断するとＳ１６に処理を進める。
【００７８】
一方、Ｓ１２にて、残価値が無いと判断すると、制御部４０は、第１ローラ３１および第２ローラ３２を正回転させてカードＣをカード収納部２８に搬送する（Ｓ１３）。制御部４０は、Ｓ１４にて、位置センサ３０がＯＦＦするまで第１ローラ３１および第２ローラ３２の正回転を維持する。カードＣがカード収納部２８に回収されて位置センサ３０がＯＦＦすると、制御部４０は、第１ローラ３１および第２ローラ３２の回転を停止して（Ｓ１５）、Ｓ１に処理を戻す。
【００７９】
一方、不正行為が行われ、Ｓ１１にて位置センサ３０はＯＦＦである場合は、エラー発報部４７のＬＥＤを発行させるなどしてエラーを発報する（Ｓ１９）。続いて、制御部４０は入口センサ２９および位置センサ３０が共にＯＮであるか否かを判断する（Ｓ２０）。Ｓ２０は、抜き出したカードＣを再挿入する不正行為を検出するためである。カード処理装置２０においては、ストックカードＣＳの有無に関わらず、再挿入されたカードＣはリードライト位置に到達することはない。そのため、入口シャッタ２７を閉制御しつつ、カードＣは入口センサ２９および位置センサ３０が共にＯＮとなる途中の位置で停止する。
【００８０】
制御部４０は、カードＣを再挿入する不正行為が行われて、Ｓ２０でＹＥＳと判断すると、挿入されたカードＣを返却することなく保持して待機する（Ｓ２１）。また、カードＣの抜き出す不正行為に加えて再挿入の不正行為が行われた場合に、エラー発報部４７による報知の仕方を変更してもよい。
【００８１】
その後、遊技店の店員により、保持しているカードＣを取り出すなどのエラーを解除する処理がなされると、制御部４０は、エラーが解除されたと判断し（Ｓ２２）、Ｓ１に処理を戻す。
【００８２】
図１４は、カード処理装置２０の動作を示す別のフローチャートである。なお、図１４においては、同じである図１３のフローチャートにおけるＳ１〜Ｓ１９までの処理の記載を省略し、Ｓ２０移行の処理のみを示す。
【００８３】
図１４に示すように、制御部４０は、カードＣを再挿入する不正行為が行われて、Ｓ２０でＹＥＳと判断すると、挿入されたカードＣをカード収納部２８に回収するべく、第１ローラ３１および第２ローラ３２を正回転させてカードＣを搬送し、また、カード持ち上げ機構３４をＯＮする（Ｓ３１）。制御部４０は、Ｓ３２にて、入口センサ２９がＯＦＦとなるまでカード持ち上げ機構３４のＯＮを維持し、入口センサ２９がＯＦＦする位置までカードＣが搬送されると、カード持ち上げ機構３４をＯＦＦする（Ｓ３３）。その後、Ｓ３４にて、位置センサ３０がＯＦＦとなるまで、第１ローラ３１および第２ローラ３２の正回転を維持する（Ｓ３５）。カードＣが搬送されて、位置センサ３０もＯＦＦになると、制御部４０は、第１ローラ３１および第２ローラ３２の回転を停止させてカードＣの搬送を停止する。この状態で、カードＣはカード収納部２８のストックカードＣＳの最下層に到達する。
【００８４】
その後、遊技店の店員により、回収したカードＣをカード収納部２８から取り出すなどのエラーを解除する処理がなされると、制御部４０は、エラーが解除されたと判断し（Ｓ３６）、Ｓ１に処理を戻す。
【００８５】
このように、再挿入されたカードＣをカード処理装置２０で保持する、あるいは回収して、不正行為を行った遊技者に返却しない構成とすることで、カードＣを再挿入することによる不正行為が何回も繰り返し行われることを阻止して、遊技店が受ける損害を最初のカードを抜き出す不正行為による分だけに止めることができる。
【００８６】
〔ソフトウェアによる実現例〕
カード処理装置２０の制御部４０は、集積回路（ＩＣチップ）等に形成された論理回路（ハードウェア）によって実現してもよいし、ソフトウェアによって実現してもよい。
【００８７】
後者の場合、カード処理装置２０は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８９】
２  遊技機
３  台間機
１１  カードスロット
２０カード処理装置
２１  装置本体ユニット
２２  リードライタユニット
２３  カバーユニット
２４  凹部
２４ａ  底壁
２４ｂ、２４ｃ  開口
２５  カード挿入口（入口）
２６  カード搬送路（搬送路）
２７  入口シャッタ（シャッタ）
２８  カード収納部（収納部）
２０、２９、３０  入口センサ２９ａ，３０ａ  素子
３０  位置センサ
３１  第１ローラ（搬送ローラ）
３２  第２ローラ（搬送ローラ）
３３  対向ローラ
３４  カード押し上げ機構
３５  リードライタ部
３６  カード押圧板（押圧板）
３６ａ  開口部（浮き上がり防止機構）
３７  押圧バネ
３８  リブ
４０  制御部
４１  センサ部
４２  搬送機構
４５  球貸出ボタン
４７  エラー発報部
【図１】
2019159800.tif 000003
【図２】
2019159800.tif 000004
【図３】
2019159800.tif 000005
【図４】
2019159800.tif 000006
【図５】
2019159800.tif 000007
【図６】
2019159800.tif 000008
【図７】
2019159800.tif 000009
【図８】
2019159800.tif 000010
【図９】
2019159800.tif 000011
【図１０】
2019159800.tif 000012
【図１１】
2019159800.tif 000013
【図１２】
2019159800.tif 000014
【図１３】
2019159800.tif 000015
【図１４】
2019159800.tif 000016